(57)【要約】【課題】連番印刷を容易に利用することが可能なテープ印刷装置及びその制御方法を提供する。【解決手段】キーボードによって文字列が入力された後、ユーザーにより印刷キーが操作されると、制御部は、入力された文字列の中から、数字を含む連番印刷用のキーワードを検出する（ステップＳ１０１）。連番印刷用のキーワードが検出されると、制御部は、表示部に動作選択メニューを表示させ、連番印刷の実施の有無をユーザーに問い合わせる（ステップＳ１０４）。そして、連番印刷の実施がユーザーにより指示された場合には、制御部は、表示部に印刷枚数入力画面を表示させ、連番印刷を行う際の印刷枚数をユーザーに指定させる（ステップＳ１０６）。その後、制御部は、指定された印刷枚数だけ連番印刷を実行してフローを終了する。【選択図】図６
2011011450.tif 000002
【特許請求の範囲】
【請求項１】
入力された文字列をテープに印刷するテープ印刷装置であって、
前記文字列の入力を受け付ける入力部と、
前記入力部が受け付けた前記文字列の中から、番号を表す第１の文字列が含まれるキーワードを検出する検出部と、
前記検出部が前記キーワードを検出した場合に、前記第１の文字列を順次変化させながら印刷を繰り返す連番印刷を行う印刷部と、
を備えたことを特徴とするテープ印刷装置。
【請求項２】
請求項１に記載のテープ印刷装置であって、
前記検出部が検出する前記キーワードには、前記第１の文字列とともに、前記第１の文字列が番号を表す文字列であることを示す第２の文字列が含まれていることを特徴とするテープ印刷装置。
【請求項３】
請求項１又は２に記載のテープ印刷装置であって、
前記検出部が前記キーワードを検出した場合に、前記連番印刷の実施の有無を問い合わせて、その応答を受け付ける制御部をさらに備え、
前記印刷部は、前記連番印刷を実施する旨の応答を前記制御部が受け付けた場合に前記連番印刷を行うことを特徴とするテープ印刷装置。
【請求項４】
請求項１〜３のいずれか１項に記載のテープ印刷装置であって、
前記検出部が前記キーワードを検出した場合に、前記連番印刷の印刷枚数を指定させる制御部をさらに備え、
前記印刷部は、前記第１の文字列を順次変化させながら、指定された前記印刷枚数だけ印刷を繰り返すことを特徴とするテープ印刷装置。
【請求項５】
請求項１〜３のいずれか１項に記載のテープ印刷装置であって、
前記検出部が前記キーワードを検出した場合に、番号を表す第３の文字列を入力させる制御部をさらに備え、
前記印刷部は、前記第１の文字列を順次変化させながら、入力された前記第３の文字列に一致するまで印刷を繰り返すことを特徴とするテープ印刷装置。
【請求項６】
入力された文字列をテープに印刷するテープ印刷装置の制御方法であって、
前記文字列の入力を受け付ける入力ステップと、
前記入力ステップで受け付けた前記文字列の中から、番号を表す文字列が含まれるキーワードを検出する検出ステップと、
前記検出ステップで前記キーワードが検出された場合に、前記文字列を順次変化させながら印刷を繰り返す連番印刷を行う連番印刷ステップと、
を備えたことを特徴とするテープ印刷装置の制御方法。
【発明の詳細な説明】
【技術分野】
【０００１】
本発明は、入力された文字列をテープに印刷するテープ印刷装置及びその制御方法に関する。
【背景技術】
【０００２】
入力された文字列等をテープ（ラベル）に印刷するテープ印刷装置において、入力された数字やアルファベット等の文字列を順次変化させてテープに印刷する機能（連番印刷機能）を備えたものが知られている（例えば、特許文献１参照）。このようなテープ印刷装置を用いれば、数字やアルファベットが変化する複数のラベルを作成する場合に、文字列をその都度入力し直す必要がなくなり、ユーザーの利便性が向上する。
【先行技術文献】
【特許文献】
【０００３】
【特許文献１】実開平７−７９４３号公報
【発明の概要】
【発明が解決しようとする課題】
【０００４】
しかしながら、連番印刷機能を利用するためには特定の操作を行う必要があるため、説明書を読んでいない等の理由でこの操作方法を知らないユーザーは、連番印刷機能を利用することができない。また、テープ印刷装置に不慣れなユーザーの中には、連番印刷機能が備わっていることすら知らないユーザーも多く、便利な機能が十分に活かされていないという問題を有している。
【課題を解決するための手段】
【０００５】
本発明は、上述の課題の少なくとも一部を解決するためになされたものであり、以下の形態又は適用例として実現することが可能である。
【０００６】
［適用例１］本適用例に係るテープ印刷装置は、入力された文字列をテープに印刷するテープ印刷装置であって、前記文字列の入力を受け付ける入力部と、前記入力部が受け付けた前記文字列の中から、番号を表す第１の文字列が含まれるキーワードを検出する検出部と、前記検出部が前記キーワードを検出した場合に、前記第１の文字列を順次変化させながら印刷を繰り返す連番印刷を行う印刷部と、を備えたことを特徴とする。
【０００７】
このテープ印刷装置によれば、入力部が受け付けた文字列の中から、番号を表す第１の文字列を含むキーワードが検出された場合に連番印刷を行うため、操作に不慣れなユーザーであっても、連番印刷を利用することが容易になる。
【０００８】
［適用例２］上記適用例に係るテープ印刷装置において、前記検出部が検出する前記キーワードには、前記第１の文字列とともに、前記第１の文字列が番号を表す文字列であることを示す第２の文字列が含まれていることが望ましい。
【０００９】
このテープ印刷装置によれば、入力部が受け付けた文字列の中に、番号を表す第１の文字列、及び第１の文字列が番号を表す文字列であることを示す第２の文字列の双方が含まれている場合に連番印刷を行うため、さらに確実な連番印刷を行うこと（不要な連番印刷を抑制すること）が可能になる。
【００１０】
［適用例３］上記適用例に係るテープ印刷装置において、前記検出部が前記キーワードを検出した場合に、前記連番印刷の実施の有無を問い合わせて、その応答を受け付ける制御部をさらに備え、前記印刷部は、前記連番印刷を実施する旨の応答を前記制御部が受け付けた場合に前記連番印刷を行うことが望ましい。
【００１１】
このテープ印刷装置によれば、入力部が受け付けた文字列の中から、番号を表す第１の文字列を含むキーワードが検出された場合に、連番印刷の実施の有無を制御部がユーザーに問い合わせる。そして、連番印刷を実施する旨の応答を制御部が受け付けた場合に、印刷部が連番印刷を行うため、不要な連番印刷を防止することが可能になる。
【００１２】
［適用例４］上記適用例に係るテープ印刷装置において、前記検出部が前記キーワードを検出した場合に、前記連番印刷の印刷枚数を指定させる制御部をさらに備え、前記印刷部は、前記第１の文字列を順次変化させながら、指定された前記印刷枚数だけ印刷を繰り返すことが望ましい。
【００１３】
このテープ印刷装置によれば、印刷枚数を指定すれば、その数だけ印刷が繰り返されるため、印刷するための操作を繰り返す必要がなくなり、利便性が向上する。
【００１４】
［適用例５］上記適用例に係るテープ印刷装置において、前記検出部が前記キーワードを検出した場合に、番号を表す第３の文字列を入力させる制御部をさらに備え、前記印刷部は、前記第１の文字列を順次変化させながら、入力された前記第３の文字列に一致するまで印刷を繰り返すようにしてもよい。
【００１５】
このテープ印刷装置によれば、番号を表す第３の文字列を入力すれば、第１の文字列から第３の文字列まで印刷が繰り返されるため、印刷するための操作を繰り返す必要がなくなり、利便性が向上する。
【００１６】
［適用例６］本適用例に係るテープ印刷装置の制御方法は、入力された文字列をテープに印刷するテープ印刷装置の制御方法であって、前記文字列の入力を受け付ける入力ステップと、前記入力ステップで受け付けた前記文字列の中から、番号を表す文字列が含まれるキーワードを検出する検出ステップと、前記検出ステップで前記キーワードが検出された場合に、前記文字列を順次変化させながら印刷を繰り返す連番印刷を行う連番印刷ステップと、を備えたことを特徴とする。
【００１７】
このテープ印刷装置の制御方法によれば、入力された文字列の中に、番号を表す文字列を含むキーワードが検出された場合に連番印刷を行うため、操作に不慣れなユーザーであっても、連番印刷を利用することが容易になる。
【００１８】
また、上記形態及び上記適用例は、上記プログラムをコンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー、画像生成装置の内部記憶装置（ＲＡＭやＲＯＭ等の半導体メモリー）等、前記コンピューターが読み取り可能な種々の媒体を利用することができる。
【図面の簡単な説明】
【００１９】
【図１】テープ印刷装置を示す斜視図。
【図２】テープ印刷装置を示す斜視図。
【図３】テープ印刷装置の回路構成を示すブロック図。
【図４】表示部を示す平面図。
【図５】表示部を示す平面図。
【図６】印刷処理を説明するためのフローチャート。
【図７】表示部を示す平面図。
【図８】表示部を示す平面図。
【図９】印刷がなされたラベルを示す平面図。
【図１０】印刷がなされたラベルを示す平面図。
【図１１】印刷がなされたラベルを示す平面図。
【発明を実施するための形態】
【００２０】
以下、入力された文字列等をテープに印刷するテープ印刷装置について図面を参照して説明する。
【００２１】
図１及び図２は、本実施形態のテープ印刷装置を示す斜視図である。
図１及び図２に示すように、テープ印刷装置１は、本体が筐体１０に収容された構成を有しており、筐体１０の上面手前側には、キーボード１１が備えられている。キーボード１１は、文字列の入力等、ユーザーによる各種入力操作を受け付ける入力部であり、仮名、漢字、アルファベット、数字、及び記号等からなる文字列を入力可能な多数の文字キーと、テープ印刷装置１に対して各種動作を指示するための複数の制御キーとを有している。キーボード１１が備える制御キーには、電源のオンとオフとを切り替えるための電源キー、入力した仮名を漢字に変換するための変換キー、入力した文字列等を確定させるための決定キー、カーソルの移動等に用いられるカーソルキー、印刷を実行させるための印刷キー等が含まれる。
【００２２】
筐体１０の上面奥側には、液晶表示装置等からなる表示部１２が備えられている。表示部１２は、マトリクス状に配列された多数の画素で画像を形成するものであり、キーボード１１から入力された文字の表示や、メニュー画像やメッセージ画像の表示等に用いられる。
【００２３】
筐体１０の上面奥側には、表示部１２に隣接して、テープカートリッジ２を装着するための凹部１３が形成されている。凹部１３の開口部上には、開閉蓋１４が開閉可能に備えられており、開閉蓋１４を開放状態にすることによって、テープカートリッジ２を着脱することが可能となる。また、開閉蓋１４には、透光性を有する確認窓１４ａが備えられており、凹部１３にテープカートリッジ２が装着されているか否かを外部から視認可能になっている。凹部１３の底面には、凸状のサーマルヘッド１５や、搬送機構１６（図３参照）を構成する回転軸１６ａ，１６ｂが設けられており、凹部１３にテープカートリッジ２を装着すると、テープカートリッジ２に設けられた孔状のヘッド嵌合部２１にサーマルヘッド１５が嵌合するとともに、孔状の被駆動部２２ａ，２２ｂに回転軸１６ａ，１６ｂがそれぞれ係合する。
【００２４】
テープカートリッジ２には、カートリッジケース２０の内部に、ともに帯状のテープＴとインクリボンＲとが内蔵されている。テープＴは、テープ印刷装置１の印刷媒体であり、ＰＥＴ（ポリエチレンテレフタレート）或いは紙材等からなる基材の裏面に接着剤層が形成され、それが剥離紙によって覆われた構成になっている。テープ印刷装置１は、テープＴの幅や素材（基材の材質）、色等が異なる複数種類のテープカートリッジ２に対応可能であり、ユーザーは、用途や好みに応じたテープカートリッジ２を使用することができる。なお、テープカートリッジ２の裏面には、内蔵するテープＴの幅を識別するための複数の孔（図示せず）が設けられており、テープ印刷装置１は、凹部１３の底面に備えられたマイクロスイッチ等の識別センサー１９（図３参照）によって、装着されたテープカートリッジ２のテープ幅を識別することができる。
【００２５】
テープカートリッジ２を凹部１３に装着すると、テープＴの表面は、ヘッド嵌合部２１において、インクリボンＲを介してサーマルヘッド１５と対向する。サーマルヘッド１５には、テープＴの長手方向（搬送方向）と直交する方向に１列に配列された多数の発熱素子（図示せず）が形成されており、各発熱素子を選択的に発熱させることにより、インクリボンＲのインクがテープＴの表面に転写（熱転写）される。つまり、テープＴの表面には、発熱した発熱素子に対応する位置にドットが形成される。ここで、回転軸１６ａ，１６ｂを回転駆動すると、テープＴとインクリボンＲは搬送されて、テープＴはカートリッジケース２０の外部に排出され、インクリボンＲはカートリッジケース２０の内部で巻き取られる。そして、テープＴとインクリボンＲとを少しずつ搬送しながら上記の熱転写を繰り返すことにより、複数のドットで構成される画像（文字を含む）がテープＴの表面に印刷される。
【００２６】
筐体１０の側面には、筐体１０の外部と凹部１３とを連通するスリット１７が設けられており、カートリッジケース２０から排出された印刷済みのテープＴは、スリット１７を通って筐体１０の外部に向けて所定量だけ搬送される。筐体１０の内部には、スリット１７を横断するテープＴを切断するためのカッターユニット１８が配設されており、テープＴの印刷済みの部位は、このカッターユニット１８によって切り離され、テープ片（ラベル）としてスリット１７の開口部（テープ排出口）から排出される。
【００２７】
図３は、テープ印刷装置１の回路構成を示すブロック図である。また、図４及び図５は、表示部１２を示す平面図である。
図３に示すように、テープ印刷装置１は、上述したキーボード１１、表示部１２、サーマルヘッド１５、回転軸１６ａ，１６ｂ（図２参照）を含む搬送機構１６、カッターユニット１８、識別センサー１９の他に、テープ印刷装置１の動作を統括制御する制御部３０と、表示部１２に画像を表示させる表示駆動部４１と、サーマルヘッド１５を発熱駆動するヘッド駆動部４２と、搬送機構１６を駆動する搬送駆動部４３と、カッターユニット１８を駆動するカッター駆動部４４とを備えている。
【００２８】
制御部３０は、コンピューターとして機能するものであり、互いにバス３０ａを介して接続されたＣＰＵ（Central Processing Unit）３１、ＲＡＭ（Random Access Memory）３２、ＲＯＭ（Read Only Memory）３３、ＣＧＲＯＭ（キャラクタージェネレーターＲＯＭ）３４、入力インターフェイス（Ｉ／Ｆ）３５、出力インターフェイス（Ｉ／Ｆ）３６等を含んでいる。
【００２９】
ＣＰＵ３１は、ＲＯＭ３３に記憶されている制御プログラムに従って動作し、テープ印刷装置１の各種動作を司る。ＲＡＭ３２は、揮発性の記憶装置で構成された記憶部であり、ＣＰＵ３１の各種処理結果や、キーボード１１から入力された文字の文字コード、表示部１２に表示させる画像の画像データ等を一時的に記憶する。
【００３０】
ＲＯＭ３３及びＣＧＲＯＭ３４は、マスクＲＯＭやフラッシュメモリー等の不揮発性の記憶装置で構成された記憶部であり、ＲＯＭ３３には、上述した制御プログラムや各種データ等が記憶されている。
【００３１】
ＣＧＲＯＭ３４には、テープ印刷装置１で印刷可能な文字のフォントデータが記憶されている。フォントデータは、サーマルヘッド１５で文字を印刷したり、表示部１２に文字を表示したりする際に用いられるビットマップ形式のデータであり、サーマルヘッド１５の発熱素子及び表示部１２の画素に対応する多数のドットで文字を表している。ＣＧＲＯＭ３４には、複数のフォントのフォントデータが記憶されており、ＣＰＵ３１は、フォントの種別、文字サイズ及び文字コードを指定することによって、対応するフォントデータをＣＧＲＯＭ３４から取得し、このフォントデータを用いて表示用及び印刷用の画像データを形成する。なお、フォントデータとしては、種々の文字サイズに対応させやすいアウトライン形式のフォントデータを用いるようにしてもよい。
【００３２】
入力インターフェイス３５には、キーボード１１及び識別センサー１９が接続されている。ユーザーによりキーボード１１が操作されると、キーボード１１は、この操作を受け付けて、操作されたキーに対応するキー情報を、入力インターフェイス３５を介してＣＰＵ３１に出力する。また、識別センサー１９は、装着されたテープカートリッジ２のテープ幅に応じた識別情報を、入力インターフェイス３５を介してＣＰＵ３１に出力する。
【００３３】
出力インターフェイス３６には、表示駆動部４１、ヘッド駆動部４２、搬送駆動部４３、及びカッター駆動部４４が接続されており、これらは、ＣＰＵ３１の制御に基づいて、表示部１２、サーマルヘッド１５、搬送機構１６、及びカッターユニット１８をそれぞれ駆動する。
【００３４】
上記のように構成されたテープ印刷装置１において、ユーザーにより電源キーが操作されると、テープ印刷装置１は、動作を開始し、文字キーによる文字の入力や、制御キーによる各種指示が可能な状態となる。ここで、ユーザーにより文字キーが操作されて文字が入力されると、キーボード１１は、この入力を受け付けて制御部３０にキー情報を出力する。制御部３０は、キーボード１１から入力されるキー情報に基づいて、入力された文字の文字コードを特定し、この文字コードをＲＡＭ３２に記憶する。そして、この文字コードに対応するフォントデータをＣＧＲＯＭ３４から取得し、このフォントデータを用いて表示用の画像データを形成する。制御部３０がこの画像データを表示駆動部４１に供給すると、入力された文字が表示部１２に表示される。そして、ユーザーが文字の入力を複数回繰り返せば、ＲＡＭ３２には、複数の文字コードを含んだ文字コード列（テキストデータ）が記憶され、表示部１２には、複数の文字からなる文字列が表示される（例えば、図４及び図５参照）。
【００３５】
文字（文字列）が入力された後、ユーザーにより印刷キーが操作されると、テープ印刷装置１は、印刷処理を実行する。ここで、本実施形態のテープ印刷装置１は、入力された文字列の中に、番号を表す数字（数字列）が含まれている場合に、この数字を所定の規則に従って順次変化させながら印刷を複数回繰り返す「連番印刷」を行うことが可能になっている。
【００３６】
図６は、印刷処理を説明するためのフローチャートである。また、図７〜図１１は、印刷処理を説明するための説明図であり、図７、図８は、表示部１２を示す平面図であり、図９〜図１１は、印刷がなされたラベルを示す平面図である。ユーザーが文字の入力を終えて印刷キーを操作すると、テープ印刷装置１は、図６に示すフローに従って動作する。
【００３７】
図６に示すように、ステップＳ１０１では、制御部３０は、ＲＡＭ３２に記憶されている文字コード列に基づいて、入力された文字列の中から、連番印刷用のキーワードを検出する。連番印刷用のキーワードとは、連番印刷の実施を示唆する文字列であり、本実施形態では、「Ｎｏ．」という文字列と数字とを組み合わせた文字列（例えば、「Ｎｏ．１」）、及び数字と「番」という文字とを組み合わせた文字列（例えば、「１番」）を連番印刷用のキーワードとしている。
【００３８】
ステップＳ１０２では、制御部３０は、入力された文字列の中から連番印刷用のキーワードが検出されたか否かを判断する。そして、図４に示す例のように、入力された文字列の中に連番印刷用のキーワードが検出されなかった場合には、ステップＳ１０３に移行する。一方、図５に示す例のように、入力された文字列の中に連番印刷用のキーワード（「１番」）が検出された場合には、ステップＳ１０４に移行する。
【００３９】
連番印刷用のキーワードが検出されずにステップＳ１０３に移行した場合には、制御部３０は、連番印刷ではない通常の印刷（通常印刷）を実行してフローを終了する。具体的には、制御部３０は、入力された文字に対応するフォントデータをＣＧＲＯＭ３４から取得して印刷用の画像データを形成する。そして、制御部３０は、この画像データに基づいて、ヘッド駆動部４２及び搬送駆動部４３にそれぞれサーマルヘッド１５及び搬送機構１６を駆動させ、画像データに応じた画像をテープＴに印刷させる。その後、制御部３０が、カッター駆動部４４にカッターユニット１８を駆動させると、テープＴは切断され、入力された文字列が印刷されたラベルＬが完成する（例えば、図９参照）。
【００４０】
一方、連番印刷用のキーワードが検出されてステップＳ１０４に移行した場合には、制御部３０は、表示駆動部４１に指示をして動作選択メニューＭｓ（図７参照）を表示部１２に表示させ、連番印刷の実施の有無（実施するか否か）をユーザーに問い合わせる。動作選択メニューＭｓには、「連番印刷」というタイトルの下に、連番印刷を行うことを示す「する」と、連番印刷を行わないことを示す「しない」の２つの項目が縦に並んで表示されている。そして、このうちの１項目（図７の例では「する」）は、濃淡が反転したネガ表示になっており、この項目が選択された状態であることを示している。ユーザーは、上下方向に対応するカーソルキーを操作することによって他方の項目を選択することが可能であり、所望の項目を選択した後に決定キーを操作することにより、連番印刷の実施の有無を指示することができる。つまり、ユーザーは、キーボード１１のカーソルキーと決定キーを操作することによって問い合わせに対する応答を行い、この応答は、制御部３０によって受け付けられる。
【００４１】
ステップＳ１０５では、制御部３０は、動作選択メニューＭｓにて「する」が選択されたか否か、即ちユーザーによって連番印刷の実施が指示されたか否かを判断する。そして、「する」が選択された場合、即ち連番印刷を実施する旨の応答を制御部３０が受け付けた場合にはステップＳ１０６に移行する。一方、「しない」が選択された場合、即ち連番印刷を実施しない旨の応答を制御部３０が受け付けた場合には、ステップＳ１０３に移行して通常印刷を実行し、フローを終了する。これにより、入力された文字列が印刷されたラベルＬが完成する（例えば、図１０参照）。
【００４２】
連番印刷の実施がユーザーにより指示されてステップＳ１０６に移行した場合には、制御部３０は、表示駆動部４１に指示をして印刷枚数入力画面Ｍｉ（図８参照）を表示部１２に表示させ、連番印刷を行う際の印刷枚数をユーザーに指定させる。印刷枚数入力画面Ｍｉには、「印刷枚数」というタイトルの下に、印刷枚数を入力するための入力欄が設けられており、ユーザーは、数字に対応する文字キーを操作して数字を入力した後に決定キーを操作することにより、印刷枚数を指定することができる。
【００４３】
ユーザーにより印刷枚数が指定されてステップＳ１０７に移行すると、制御部３０は、指定された印刷枚数だけ連番印刷を実行してフローを終了する。具体的には、制御部３０は、入力された文字列について通常印刷を行い、テープＴを切断した後、連番印刷用のキーワードに含まれる数字を１つ増加させて、改めて印刷用の画像データを形成する。そして、制御部３０は、この画像データに基づいて再度印刷と切断とを行い、これを指定された印刷枚数分の印刷が完了するまで繰り返す。つまり、制御部３０は、数字を順次変化させながら、ヘッド駆動部４２、搬送駆動部４３、及びカッター駆動部４４に、それぞれサーマルヘッド１５、搬送機構１６、及びカッターユニット１８を駆動させ、複数回の印刷を実施する。この結果、例えば、印刷枚数に３が指定された場合には、図１１に示すように、それぞれ異なる数字が印刷された３枚のラベルＬが完成する。
【００４４】
以上説明したように、本実施形態のテープ印刷装置１によれば、以下の効果を得ることができる。
【００４５】
（１）本実施形態のテープ印刷装置１によれば、キーボード１１で入力された文字列の中に、数字等からなる連番印刷用のキーワードが含まれていれば、連番印刷機能を呼び出すための操作、即ち連番印刷の実施を指示するための特別な操作を行わなくても連番印刷が行われるため、操作に不慣れなユーザーであっても、連番印刷を利用することが容易になる。
【００４６】
（２）本実施形態のテープ印刷装置１によれば、キーボード１１で入力された文字列の中に、連番印刷用のキーワード、即ち数字と、この数字が番号を表すものであることを示す文字列（「Ｎｏ．」又は「番」）とが含まれている場合に連番印刷を行う態様であるため、さらに確実な連番印刷を行うこと（不要な連番印刷を抑制すること）が可能になる。
【００４７】
（３）本実施形態のテープ印刷装置１によれば、キーボード１１で入力された文字列の中に、連番印刷用のキーワードが含まれている場合に、連番印刷の実施の有無をユーザーに問い合わせる。そして、連番印刷を実施する旨の応答がなされた場合、即ち動作選択メニューＭｓにて「する」が選択された場合に、連番印刷が行われるため、不要な連番印刷を防止することが可能になる。
【００４８】
（４）本実施形態のテープ印刷装置１によれば、連番印刷を行う場合に、印刷枚数を指定させて、その枚数分だけ印刷するようにしているため、印刷を指示する操作を印刷枚数分だけ繰り返す必要がなくなり、利便性が向上する。
【００４９】
なお、本実施形態では、キーボード１１が入力部に相当し、制御部３０（ＣＰＵ３１）の制御に基づいてテープＴに印刷（通常印刷又は連番印刷）を行うヘッド駆動部４２、搬送駆動部４３、サーマルヘッド１５、及び搬送機構１６が、印刷部に相当する。また、キーボード１１により入力された文字列に含まれる数字は、番号を表す第１の文字列に相当し、「Ｎｏ．」及び「番」は、第１の文字列が番号を表す文字列であることを示す第２の文字列に相当する。また、ステップＳ１０１（図６参照）を実行して連番印刷用のキーワードを検出する際の制御部３０が検出部に相当する。
【００５０】
（変形例）
また、上記実施形態は、以下のように変更してもよい。
【００５１】
上記実施形態では、ユーザーに印刷枚数を指定させているが、印刷枚数を指定させることなく、印刷キーが操作されるたびに、数字を１つずつ変化させて印刷を行う態様にすることも可能である。なお、この場合には、必要な印刷枚数だけ印刷キーを操作する必要がある。
【００５２】
上記実施形態では、連番印刷を行う際に、入力された数字を１つずつ増加させているが、１つずつ減少させる態様としてもよい。また、増加させるか減少させるかをユーザーに選択させるようにしてもよい。
【００５３】
上記実施形態では、連番印刷を行う際に、印刷枚数をユーザーに指定させるようにしているが、印刷枚数を指定させる代わりに、最後の数字をユーザーに指定させるようにしてもよい。そして、最初に入力された数字、即ち連番印刷用のキーワードとして検出された数字を１つずつ変化させながら印刷を繰り返し、指定された最後の数字に達した場合に連番印刷を終了すればよい。この場合には、最後の数字を指定すれば、その数だけ印刷が繰り返されるため、印刷するための操作を繰り返す必要がなくなり、利便性が向上する。また、指定された最後の数字が、最初に入力された数字よりも大きければ、数字を増加させればよいし、最初に入力された数字よりも小さければ、数字を減少させればよいため、増加させるか減少させるかをユーザーに選択させる必要はなくなる。なお、ユーザーに指定させる最後の数字は、第３の文字列に相当する。
【００５４】
上記実施形態において、連番印刷用のキーワードに含まれる数字は、アラビア数字に限られず、ローマ数字や漢数字であってもよい。また、これらの数字は１桁の数字に限られず、複数桁の数字であってもよい。
【００５５】
上記実施形態では、数字からなる第１の文字列と、「Ｎｏ．」又は「番」という文字列からなる第２の文字列との組み合わせを連番印刷用のキーワードにしているが、連番印刷用のキーワードはこれに限定されない。例えば、数字の代わりにアルファベットを第１の文字列としてもよいし、「組」、「列」又は「＃」等の文字を第２の文字列とすることもできる。つまり、この場合には、「Ａ組」、「Ｂ組」、「Ｃ組」、…のような連番印刷を行うことも可能となる。また、連番印刷用のキーワードに第２の文字列は必須ではなく、第１の文字列（例えば、数字）のみを連番印刷用のキーワードとしてもよい。
【００５６】
上記実施形態では、連番印刷を行う際に、１回の印刷を終える度に、カッターユニット１８でテープＴを切断させているが、この態様に限られず、数字を順次変化させた文字列を並列してテープＴに印刷させた後に、必要に応じてユーザーに手作業等で切断させる態様としてもよい。
【００５７】
上記実施形態では、連番印刷を行う際に、第１の文字列である数字を１つずつ増加させているが、第１の文字列の変化量は１に限られず、２以上であってもよい。例えば、変化量が２の場合には、第１の文字列は、１、３、５、７、…、或いはＡ、Ｃ、Ｅ、Ｇ、…のように変化することになる。
【００５８】
上記実施形態において、環境設定等で連番印刷のオンとオフとを切り替えできるようにしてもよい。そして、連番印刷がオンに設定されている場合にのみ、図６に示したフローに従って動作し、連番印刷がオフに設定されている場合には、連番印刷用のキーワードが文字列中に含まれているか否かに拘らず、常に通常印刷を行うようにすればよい。
【００５９】
上記実施形態では、テープＴに文字を印刷するための印刷方式として、サーマルヘッド１５による熱転写方式を用いているが、この方式に限られず、インク滴を吐出するインクジェット方式等、他の印刷方式を用いてもよい。
【符号の説明】
【００６０】
１…テープ印刷装置、２…テープカートリッジ、１０…筐体、１１…キーボード、１２…表示部、１３…凹部、１４…開閉蓋、１４ａ…確認窓、１５…サーマルヘッド、１６…搬送機構、１６ａ，１６ｂ…回転軸、１７…スリット、１８…カッターユニット、１９…識別センサー、２０…カートリッジケース、２１…ヘッド嵌合部、２２ａ，２２ｂ…被駆動部、３０…制御部、３０ａ…バス、３１…ＣＰＵ、３２…ＲＡＭ、３３…ＲＯＭ、３４…ＣＧＲＯＭ、３５…入力インターフェイス、３６…出力インターフェイス、４１…表示駆動部、４２…ヘッド駆動部、４３…搬送駆動部、４４…カッター駆動部、Ｒ…インクリボン、Ｔ…テープ、Ｌ…ラベル、Ｍｓ…動作選択メニュー、Ｍｉ…印刷枚数入力画面。
【図１】
2011011450.tif 000003
【図２】
2011011450.tif 000004
【図３】
2011011450.tif 000005
【図４】
2011011450.tif 000006
【図５】
2011011450.tif 000007
【図６】
2011011450.tif 000008
【図７】
2011011450.tif 000009
【図８】
2011011450.tif 000010
【図９】
2011011450.tif 000011
【図１０】
2011011450.tif 000012
【図１１】
2011011450.tif 000013